(57)【要約】  【課題】依頼者の住所または居所が変わった場合であっても、転居先の近くの場所で、遺骨を管理できる納骨管理システムを提供することにある。  【解決手段】本発明の納骨管理システムは、故人または動物の骨が納められた骨壷と、一定の営業権を付与され、相互にネットワークを介して接続され、前記骨壷を管理する複数の加盟店からなる加盟店群と、前記ネットワークに接続され、少なくとも前記各加盟店に管理されている骨壷の骨壷情報を管理するとともに、前記骨壷の管理を依頼する依頼者に識別情報を付与し、前記識別情報を管理する管理装置と、識別情報が付与された依頼者により、前記ネットワークを介して前記管理装置にアクセスでき、前記識別情報に基づく骨壷の前記骨壷情報を表示する情報端末とを有し、前記識別情報に基づく前記骨壷の管理場所は、前記加盟店群内で他の加盟店に変更できる。【選択図】図１
2005141301.tif 000002
【特許請求の範囲】
【請求項１】
故人または動物の骨が納められた骨壷と、
一定の営業権を付与され、相互にネットワークを介して接続され、前記骨壷を管理する複数の加盟店からなる加盟店群と、
前記ネットワークに接続され、少なくとも前記各加盟店に管理されている骨壷の骨壷情報を管理するとともに、前記骨壷の管理を依頼する依頼者に識別情報を付与し、前記識別情報を管理する管理装置と、
識別情報が付与された依頼者により、前記ネットワークを介して前記管理装置にアクセスでき、前記識別情報に基づく骨壷の前記骨壷情報を表示する情報端末とを有し、
前記識別情報に基づく前記骨壷の管理場所は、前記加盟店群内で他の加盟店に変更できることを特徴とする納骨管理システム。
【請求項２】
前記管理装置は、更に前記骨壷を所定の加盟店で管理できること許可する利用権、および前記依頼者が前記骨壷の管理場所を移動する場合、前記骨壷を移動し、他の加盟店で管理できることを許可する移動権を設定する設定部を備え、
前記骨壷の管理場所の変更は、前記設定部により前記移動権が設定されることによりなされる請求項１に記載の納骨管理システム。
【請求項３】
前記加盟店は、前記骨壷に納められている故人または動物の墓参および法事の少なくとも一方を行う法事施設を有する請求項１または２に記載の納骨管理システム。
【請求項４】
さらに、前記法事施設により行われる墓参または法事が、前記識別情報に基づいて前記依頼者による予約を管理する予約部を有する請求項３に記載の納骨管理システム。
【請求項５】
前記管理装置は、前記識別情報に基づく前記骨壷毎に映像として表示される墓の墓情報が記録されたデータベースを有し、
前記識別情報に基づいて、墓情報が前記データベースから読み出され、前記骨壷に納められている故人または動物の墓が映像として前記情報端末に表示される請求項１〜４のいずれか１項に記載の納骨管理システム。
【請求項６】
前記骨壷は、複数まとめて１つの骨箱に収納される請求項１〜５のいずれか１項に記載の納骨管理システム。
【請求項７】
前記骨壷は、親族単位で前記骨箱に収納される請求項６に記載の納骨管理システム。
【発明の詳細な説明】
【技術分野】
【０００１】
故人または動物の骨が納められた骨壷を、依頼者の住所または居所などが変わっても、転居先の近くの場所に移動させて保管できる納骨管理システムに関する。
【背景技術】
【０００２】
近年、特に都市部では、核家族化が進み、小家族世帯および老人だけの世帯が増えている。
この小家族世帯および老人だけの世帯において、近親者が亡くなり、お墓が必要になった場合、以下に示すような問題が生じる。
【０００３】
お墓は、一般的に高価であり、少なくとも１００万円以上必要となり、大きな出費となる。また、お墓を手に入れたとしても、必ずしも住居の近くであるか、または交通の便が良いところとは限らない。さらに、お墓は、一旦購入すると、購入者の転居に伴い移動させることが容易ではない。このため、購入者の転居により、お墓がある場所と、住居との距離がさらに遠くなり、お墓への献花、またはお墓を掃除するなどの管理に大変な労力を要することになる。
さらに、愛着が特にあった故人、またはペットなど愛玩動物の遺骨を身近に保管したいという需要及び要望も多くある。
【０００４】
そこで、お墓を自分の居所に近い納骨施設に納骨できる納骨管理システムが提案されている（例えば、特許文献１参照）。
この特許文献１に開示された納骨管理システムにおいては、依頼者から納骨または分骨納骨の依頼を受ける事業者とその依頼者とがネットワークが結ばれている。この事業者により、分骨納骨された納骨施設に関する情報がネットワークに接続された情報処理装置によって、依頼者に送信される。このネットワークに接続された依頼者の情報処理装置は、事業者により作成された分骨納骨された納骨施設に関する情報を表示できる。
この特許文献１に開示された納骨管理システムよれば、檀家制度に関係なく、故人が好むような複数箇所の地域に納骨または分骨できる。
【０００５】
【特許文献１】特開２００２−０４１６８３号公報
【発明の開示】
【発明が解決しようとする課題】
【０００６】
上述の特許文献１に開示された納骨管理システムでは、遺骨を１つの納骨施設に納骨するか、または複数の納骨施設に分骨することができる。しかしながら、依頼者が転居しても常に自分の居所の近くの納骨施設に遺骨を納骨しておきたい場合、対応することができないという問題点がある。
【０００７】
本発明の目的は、依頼者の住所または居所が変わった場合であっても、転居先の近くの場所で、遺骨を管理できる納骨管理システムを提供することにある。
【課題を解決するための手段】
【０００８】
上記目的を達成するために、本発明は、故人または動物の骨が納められた骨壷と、一定の営業権を付与され、相互にネットワークを介して接続され、前記骨壷を管理する複数の加盟店からなる加盟店群と、前記ネットワークに接続され、少なくとも前記各加盟店に管理されている骨壷の骨壷情報を管理するとともに、前記骨壷の管理を依頼する依頼者に識別情報を付与し、前記識別情報を管理する管理装置と、識別情報が付与された依頼者により、前記ネットワークを介して前記管理装置にアクセスでき、前記識別情報に基づく骨壷の前記骨壷情報を表示する情報端末とを有し、前記識別情報に基づく前記骨壷の管理場所は、前記加盟店群内で他の加盟店に変更できることを特徴とする納骨管理システムを提供するものである。
【０００９】
本発明において、前記管理装置は、更に前記骨壷を所定の加盟店で管理できることを許可する利用権、および前記依頼者が前記骨壷の管理場所を移動する場合、前記骨壷を移動し、他の加盟店で管理できることを許可する移動権を設定する設定部を備え、前記骨壷の管理場所の変更は、前記設定部により前記移動権が設定されることによりできる。
【００１０】
また、本発明において、前記加盟店は、前記骨壷に納められている故人または動物の墓参および法事の少なくとも一方を行う法事施設を有することが好ましい。
【００１１】
さらに、本発明において、さらに、前記法事施設により行われる墓参または法事が、前記識別情報に基づいて前記依頼者による予約を管理する予約部を有することが好ましい。
【００１２】
さらにまた、本発明において、前記管理装置は、前記識別情報に基づく前記骨壷毎に映像として表示される墓の墓情報が記録されたデータベースを有し、前記識別情報に基づいて、墓情報が前記データベースから読み出され、前記骨壷に納められている故人または動物の墓が映像として前記情報端末に表示されることが好ましい。
【００１３】
また、上述の第１の態様および第２の態様の納骨管理システムにおいて、前記骨壷は、複数まとめて１つの骨箱に収納されるものとすることができる。
さらに、上述の第１の態様および第２の態様の納骨管理システムにおいて、前記骨壷は、親族単位で前記骨箱に収納されるものとすることができる。
【００１４】
なお、本発明において、前記骨箱は、前記骨壷が収納される筐体と、前記骨壷が少なくとも１個載置され、前記骨壷と共に前記筐体内に収納される架台とを有し、前記架台は、複数段積み重ねられて前記筐体に収納されることを特徴とする骨箱に収納されてもよい。
【００１５】
この骨箱において、前記架台は、前記骨壷が載置される基台と、前記基台に立設された略コ字形状のフレームとを有し、前記フレームの水平部には、取手が設けられていることが好ましい。
【００１６】
また、前記骨箱において、前記筐体は、その表面に俗名、墓誌および家紋のうち少なくとも１つが記録される記録部を有することが好ましい。
【発明の効果】
【００１７】
また、本発明の納骨管理システムによれば、一定の営業権を付与され、相互にネットワークを介して接続された複数の加盟店群内において、故人または動物の骨が納められた骨壷を、他の加盟店に保管場所を変更できる。このため、依頼者の住所または居所が変わった場合であっても、転居先の近くの加盟店で、骨壷を管理することができる。
【発明を実施するための最良の形態】
【００１８】
以下に、添付の図面に示す好適実施形態に基づいて、本発明の納骨管理システムを詳細に説明する。
図１は、本発明の実施例に係る納骨管理システムを示す模式図である。
【００１９】
図１に示すように、本実施例の納骨管理システム１００は、複数の納骨堂（加盟店）Ｆ1〜Ｆnにより構成されている納骨堂チェーン（加盟店群）Ｇと、情報端末Ｔ1〜Ｔmと、管理装置１１２とがネットワーク１１３を介して接続されているものである。
管理装置１１２は、設定部１１７、予約部１１８、およびデータベース１１９を有するものである。
なお、納骨堂チェーンＧの納骨堂（加盟店）Ｆ1〜Ｆnは、全国各地に設けられていることが好ましい。
また、本実施例の納骨管理システム１００は、例えば、後述する骨箱１０（図２（ａ）参照）に骨壷１２（図３参照）を収納して、複数の骨箱１０を管理するものである。骨箱１０は、後述するように、識別情報（以下、骨箱情報という）が付与されて管理される。
【００２０】
先ず、骨箱１０について説明する。
ここで、図２（ａ）は、本発明の実施例に係る骨箱を示す斜視図であり、図２（ｂ）は、図２（ａ）に示す骨箱の内部の状態を示す斜視図である。
図２（ａ）に示すように、骨箱１０は、略直方体の筐体１４と、蓋部１５と、架台１６（図２（ｂ）参照）とを有する。
【００２１】
筐体１４は、角筒状の底を有するものであり、高さ方向における一方が底（図示せず）になっており、他方は開口（図示せず）している。
【００２２】
筐体１４は、例えば、その側面の１つの面１４ａに２つの記録部３０ａ、３０ｂが設けられている。
この記録部３０ａは、例えば、家名が記録されるものであり、例えば、長方形状の薄板からなるものである。この記録部３０ａは、例えば、筐体１４表面１４ａの中央部に貼り付けられる。
【００２３】
記録部３０ｂは、例えば、墓誌が記録されるものであり、例えば、長方形状の薄板からなるものである。この記録部３０ｂも、例えば、筐体１４表面１４ａの記録部３０ａの下方に貼り付けられる。
記録部３０ａ、３０ｂへの家名および墓誌の記録方法は、特に限定されるものではなく、印刷および刻設が例示される。また、記録部３０ａ、３０ｂの材質は、特に限定されるものではない。
本実施例においては、記録部３０ａ、３０ｂは、いずれも筐体１４の表面に直接、家名および墓誌を印刷、レーザ加工、またはシールの貼り付けなどにより記録してもよい。
【００２４】
なお、筐体１４の材質は、特に限定されるものではなく、例えば、御影石、大理石、および合成大理石を用いることができる。さらには、筐体１４は、例えば、磁器または陶器により形成してもよい。しかしながら、筐体１４に用いられる材料としては、可搬性の点から、骨壷１２を収納できる強度を有するものであれば、できる限り軽いものが好ましい。また、筐体１４に用いられる材料としては、厳かな質感または美感を備えるものであることが更に好ましい。
【００２５】
蓋１５は、筐体１４の開口を塞ぐものである。この蓋１５の上面１５ａに、記録部３０ｃが設けられている。この記録部３０ｃは、例えば、家紋が記録されるものであり、例えば、円形の薄板からなるものである。
【００２６】
なお、記録部３０ｃへの家紋の記録方法は、特に限定されるものではなく、印刷および刻設が例示される。また、記録部３０ｃの材質も、特に限定されるものではなく、記録部３０ａ、３０ｂと同様のものを用いることができる。さらに、記録部３０ｃも、蓋１５の上面１５ａに直接、家紋を印刷、レーザ加工、またはシールの貼り付けなどにより記録してもよい。
【００２７】
架台１６は、骨壷１２（図３参照）が少なくとも１個載置され、筐体１４内部に複数積み重ねられて収納されるものである。
【００２８】
次に、骨壷１２について説明する。
ここで、図３は、本実施例の骨箱に収納される骨壷を示す斜視図である。
図３に示すように、骨壷１２は、筐体部４０と、蓋部４２とを有する。
筐体部４０は、故人の骨（遺骨）、および遺灰、または飼っていた動物の骨および遺灰などが納められるものである。この筐体部４０は、例えば、角筒状の底を有するものであり、高さ方向における一方が底（図示せず）になっており、他方は開口（図示せず）している。
【００２９】
この筐体部４０は、その側面の１つの面４０ａに、長方形のプレート４４ａが設けられている。この長方形のプレート４４ａには、骨壷１２に納められている故人の俗名または動物の名前などが記録される。
【００３０】
また、蓋部４２の上面４２ａには、故人の家紋などが記録された円形プレート４４ｂが設けられている。
なお、長方形のプレート４４ａ、および円形プレート４４ｂへの記録方法は、記録部３０ａ、３０ｂと同様のものとすることができる。また、俗名、または家紋は、筐体部４０および蓋部４２の長方形のプレート４４ａ、および円形プレート４４ｂが設けられる領域に直接記録してもよい。
【００３１】
図４（ａ）は、本実施例の骨箱に収納される架台を示す斜視図であり、（ｂ）は、図４（ａ）に示す領域Ａの拡大図である。
図４（ａ）に示すように、架台１６は、基台１８と、フレーム２０とを有する。
【００３２】
基台１８は、例えば、略正方形状の板部材からなり、その上面１８ａに、例えば、正方形状の凹部２２が４つ同じ大きさで形成されている。凹部２２は井桁状に配置されており、隣接する凹部２２間の間隔は同じである。
この凹部２２は、骨壷１２が載置されるものであり、凹部２２の大きさは、骨壷１２の底面の大きさと同じか、それ以上である。また、凹部２２の形状は、骨壷１２の外形形状と略同じである。
【００３３】
フレーム２０は、基台１８に立設されるものである。このフレーム２０は、十字形状の基体２３と、脚部２６ａ〜２６ｄとを有する。
【００３４】
基体２３は、十字形状を呈しており、同一平面内で四方に伸びる４つの腕部（水平部）２４ａ〜２４ｄを有する。これらの腕部２４ａ〜２４ｄは、その幅が凹部２２の間隔よりも狭いものである。また、基体２３の両端部の距離は、基台１８の一辺の長さと略同じである。
【００３５】
腕部２４ａ〜２４ｄの端部には、それぞれ脚部２６ａ〜２６ｄが垂直に設けられている。脚部２６ａ〜２６ｄは、その幅が腕部２４ａ〜２４ｄの幅と略同じである。また、脚部２６ａ〜２６ｄの長さは、骨壷１２の高さ方向における長さよりも長い。
【００３６】
このように、フレーム２０は構成されるものであり、フレーム２０は、側面視が略コ字形状を呈するものである。
フレーム２０は、脚部２６ａ〜２６ｄが、基台１８の上面１８ａに各凹部２２との間に接合されている。このように、脚部２６ａ〜２６ｄが各凹部２２間の隙間に接合されているので、骨壷１２を凹部２２に載置する場合、邪魔にならず、骨壷１２を容易に配置できる。
【００３７】
また、フレーム２０の腕部２４ａ、２４ｃには、取手２８が設けられている。この取手２８は、垂直方向に引き出し自在なものである。
図４（ｂ）に示すように、取手２８は、棒材を略コ字状に成形したものであり、水平部２８ａと垂直部２８ｂとを有する。
【００３８】
腕部２４ａ、２４ｃの表面には、水平方向に延びる溝部４６が形成されており、この溝部４６の水平方向の長さは、取手２８の水平部２８ａの長さよりも長い。溝部４６の深さの値は、取手２８の水平部２８ａの直径の値よりも大きい。
さらに、溝部４６には、水平方向における両端に、それぞれ貫通穴２７が形成されている。この貫通穴２７の径は、取手２８を構成する棒材の径よりも大きい。また、溝部４６には、水平方向における中心部において連通する円形状の凹部４８が形成されている。
取手２８は、垂直部２８ｂが貫通穴２７に挿通されており、垂直部２８ｂの端部に貫通穴２７の径よりも径大の円板状の留部材２９が設けられている。これにより、取手２８の抜けが防止される。
【００３９】
本実施例においては、図２（ｂ）に示すように、架台１６を２段積み重ねた場合、取手２８は、腕部２４ａ、２４ｃの表面から突出することがなく、更には十字状の基体２３で上部の架台１６を受けているので、安定して架台１６を積み重ねることができる。
また、溝部４６の深さが水平部２８ａよりも深いので、取手２８は、腕部２４ａ、２４ｃの表面よりも下側に収納される。本実施例においては、腕部２４ａ、２４ｃの表面よりも下側に収納されても、凹部４８が設けられているので、取手２８は取り出し易い。
【００４０】
本実施例においては、例えば、４つの骨壷１２を載置できる架台１６を２段に積み重ねて、筐体１４内に収納されており、本実施例の骨箱１０は、最大８個の骨壷を収納することができる。架台１６は、積み重ねて収納することができるので、骨箱１０を小型化できる。これにより、骨箱１０は、設置場所を選ぶことがなくなり、管理も容易にでき、さらには、移動も容易に行うことができる。
さらに、本実施例の骨箱１０は、複数の骨壷をまとめて収納でき、家名、家紋および墓誌を記録することができるので、室内に保管した場合、お墓として機能させることもできる。
【００４１】
また、架台１６には、凹部２２が形成されており、この凹部２２に骨壷１２が置かれる。このため、骨壷１２が安定して架台１６に置かれるので、転倒が防止される。
【００４２】
さらに、骨箱１０は、その表面に家紋、家名、および墓誌を記録することができる。このため、お墓として機能させることができるので、一般家庭に室内用のお墓として設置することができる。この場合、骨箱１０の材質を御影石などのお墓の材質と同じものにすることにより、優れた美観を有するものにできる。
【００４３】
なお、骨箱１０は、１つの架台１６に４個の骨壷１２が載置できるものとし、この架台１６を２段積み重ねる構成としたが、本発明は、これに限定されるものではない。例えば、家族構成に応じて、架台１６に骨壷１２を２個載置できるものとし、この架台を２段積み重ねて収納する構成にしてもよい。また、筐体１４の意匠もお墓に類似する意匠としてもよく、更には故人にちなんだデザインとしてもよい。
さらに、骨箱には、複数の骨壷を収納できるものが好ましく、さらに、親族単位で骨壷を骨箱に収納することが更に好ましい。なお、１つの骨壷に対して１つの骨箱としてもよい。骨箱１０または骨壷１２に、遺品などを入れてもよいことは言うまでもない。
【００４４】
なお、本実施例の納骨管理システム１００においては、骨箱１０の骨箱情報と、依頼者の識別情報（以下、ユーザＩＤという）とが関連付けて管理装置１１２のデータベース１１９に記憶されている。
骨箱情報とは、骨箱１０に収納されている骨壷１２の数、骨壷１２に納められている故人の俗名または動物の名前などのことである。
また、骨壷１２にも識別番号が付与されて骨箱情報とともに管理される。
【００４５】
また、図１に示す納骨堂チェーンＧは、フランチャイズ契約され、一定の営業権が付与された複数の納骨堂Ｆ1〜Ｆnからなるものである。
各納骨堂Ｆ1〜Ｆnは、図１に示すように、骨箱１０を保管する保管部１１４〜１１４ｎと、墓参または法事を行う法事施設１１６〜１１６ｎと、管理部１１５〜１１５ｎとを有する。なお、各納骨堂Ｆ1〜Ｆnは、これ以外にも、付帯施設として、喫茶部、食堂、土産物販売部、および宿泊施設などを有していてもよい。
また、各納骨堂Ｆ1〜Ｆnに付与された営業権とは、骨壷１２の保管、管理および移転を含む移動、ならびに墓参および法事などを業として行うことができる権利のことであり、更に骨箱１０（骨壷１２）を管理することを広告する権利なども含まれる。
なお、納骨堂には、例えば、一般の寺院、または公設もしくは私設のものがある。
【００４６】
保管部１１４〜１１４ｎは、骨箱１０を保管するものであり、例えば、倉庫のことである。この倉庫は、機械化されていることが好ましい。
この場合、倉庫としては、骨箱が載置されるラックと、このラックから骨箱を取り出す機能、およびラックに骨箱を載置する機能を有するスタッカクレーンと、このスタッカクレーンにより取り出された骨箱を搬出する機能、およびスタッカクレーンに骨箱を受け渡す機能を有する入出庫台と、これらの機器を制御する制御装置とを有する構成のものが例示される。
なお、この保管部１１４〜１１４ｎは、骨箱１０を雨風などの環境、および盗難などから守ることができれば、特に限定されるものではない。
【００４７】
管理部１１５〜１１５ｎは、骨箱１０に付与された識別番号および管理を依頼した依頼者の識別情報とともに、骨箱１０の所有者（依頼者）などを管理するものである。さらには、予約部１１８で予約された墓参または法事の予約状況が記憶されるものである。
【００４８】
法事施設１１６〜１１６ｎは、墓参および法事ができるものであり、本実施例においては、保管部１１４〜１１４ｎと一体化されているものである。これら保管部１１４〜１１４ｎと法事施設１１６〜１１６ｎとについては、図５〜図７に基づいて詳細に説明する。
図５は、本実施例の納骨管理システムの納骨堂に設けられた法事施設の一例を示す模式的斜視図である。なお、図５においては、納骨堂Ｆ1の法事施設１１６および管理部１１４を例にして説明する。
【００４９】
図５に示すように、法事施設１１６は、墓参ブース６０と、法事ブース７０と、献花ブース７４と、搬送部９０とを有し、保管部１１４に接続されている。
【００５０】
本実施例においては、保管部１１４が収納される矩形状の第１の収納箱５０と、この第１の収納箱５０よりも長さおよび幅が小さい第２の収納箱５２とを有する。
第１の収納箱５０の上面中央に第２の収納箱５２が設けられており、長さ方向および幅方向に、それぞれスペースができる。この場合、第２の収納箱５２の両側にできた残りのスペースの幅は同じである。
【００５１】
第１の収納箱５０との間に生じたスペースには、第２の収納箱５２の周囲に、複数の仕切板５４が設けられている。これにより、例えば、８個の墓参ブース６０の領域が区画され、さらに、法事ブース７０の領域および２つの献花ブース７４の領域が区画される。
【００５２】
第１の収納箱５０には保管部１１４が設けられており、例えば、図６に示す構成を有するものである。
ここで、図６は、本実施例の納骨管理システムの納骨堂の保管部の構成を示す模式図である。
【００５３】
次に、保管部１１４について詳細に説明する。図６に示すように、保管部１１４は、例えば、長方形の環状に配置されたコンベアベルト８０と、このコンベアベルト８０に載置される骨箱１０の骨箱情報を読み取る読取部８２と、コンベアベルト８０の運動および読取部８２を制御する制御装置（図示せず）とを有する。
【００５４】
保管部１１４に設けられるコンベアベルト８０は、保管する骨箱１０の数に応じた長さを有するものである。
読取部８２は、骨箱１０の骨箱情報を読み取るものであり、骨箱情報が記録された記録媒体により、その構成は異なる。例えば、骨箱情報がバーコードにより記録されていれば、読取部８２は、バーコードリーダを有する。また、例えば、骨箱情報がＩＣタグに記録されていれば、読取部８２は、ＩＣタグリーダを有する。
【００５５】
本実施例においては、コンベアベルト８０における読取部８２により読み取られる骨箱１０が位置する領域が取出領域８４である。この取出領域８４は、後述するように、第２の収納箱５２に設けられた搬送部９０により骨箱１０が搬出される領域のことである。
【００５６】
次に、本実施例の納骨管理システム１００の搬送部について説明する。
図７は、本実施例の納骨管理システムの搬送部を示す模式的平面図である。
図７に示すように、本実施例の納骨管理システム１００の搬送部９０は、例えば、４つの直列に配置された搬送ベルト対９２〜９８を有する。
【００５７】
搬送ベルト対９２〜９８は、各墓参ブース６０に骨箱１０を搬送するものであり、本実施例においては、墓参ブース６０が、８個設けられているので、その数に応じた搬送手段が設けられている。
搬送ベルト対９２〜９８は、それぞれ２つのコンベアベルト９２ａ〜９８ａ、９２ｂ〜９８ｂを有する。
【００５８】
各コンベアベルト９２ａ〜９８ａ、９２ｂ〜９８ｂは、配置列方向に骨箱１０を運搬することができるとともに、それぞれ墓参ブース６０の骨箱開示口６４に対して矢印Ｍ方向に移動可能である。
【００５９】
また、搬送ベルト対９２には、昇降機構（図示せず）が設けられている。この昇降機構により、第１の収納箱５０の保管部１１４の取出領域８４から骨箱１０を搬送部９０に搬送することができる。
【００６０】
保管部１１４からの骨箱１０の取り出しに際しては、読取部８２により、各骨箱１０の骨箱情報を読み取り、墓参または法事が行われる骨箱１０を検出する。骨箱１０が検出されると、コンベアベルト８０を停止させる。そして、搬送ベルト対９２を下降させて、移載手段（図示せず）により、搬送ベルト対９２に骨箱１０を移載する。次に、搬送ベルト対９２を昇降する。
【００６１】
また、搬送部９０により、骨箱１０を法事ブース７０に搬送する場合には、保管部１１４から搬出された骨箱１０を搬送ベルト対９２〜９８により搬送する。
【００６２】
一方、所定の墓参ブース６０に搬送する場合には、所定の位置まで、搬送ベルト対９２〜９８で搬送し、所定の墓参ブース６０まで搬送した後、コンベアベルト９２ａ〜９８ａ、９２ｂ〜９８ｂを骨箱開示口６４に向けて移動させる。これにより、骨箱１０を所定の墓参ブース６０に搬送することができる。
【００６３】
墓参ブース６０は、仕切板５４により仕切られた領域に設けられた花筒台６２と、この花筒台６２の上に設けられた花筒６８とを有する。また、墓参ブース６０には、その壁面６４に骨箱開示口６６が設けられている。この骨箱開示口６６には、例えば、アクリル板またはガラス板がはめ込まれている。墓参の際には、骨箱開示口６６に、上述の搬送部９０により、骨箱１０が搬送され、墓参する人が骨箱１０を見ることができる。
【００６４】
花筒６８は、献花に用いられるものであり、例えば、生花ｆが活けられる。
なお、この墓参ブース６０を使用するには、後述するように、例えば、情報端末Ｔ1を用いて、管理装置１１２の予約部１１８に予約することが必要である。
【００６５】
なお、本実施例においては、例えば、１つの墓参ブース６０あたり、４０〜５０個の骨箱１０が保管することができる。このため、１つの法事施設で、２００〜５００個の骨箱が保存されることになる。
法事施設も大小さまざまなものがあり、墓参ブースの数は、５〜１０程度であり、１つの法事施設に収納される骨箱の数も２００〜５００程度である。
このように、１つの法事施設に多くの骨箱を収納することにより、骨箱１個あたりの管理費を削減することができる。このため、骨箱の管理を依頼している依頼者の費用負担を軽減することができる。
【００６６】
法事ブース７０は、納骨堂において、例えば、年忌などの法事（法要）を行うために使用されるものであり、墓参ブースよりもスペースが大きい。この法事ブース７０には、骨箱１０が搬送部９０により搬送されて、第２の収納箱５２に設けられた開口部５６を経て骨箱１０が展示される。
この法事ブース７０においては、開口部５６の両側に花筒７２が設けられている。この花筒７２は、献花に用いられるものであり、例えば、生花ｆが活けられる。
【００６７】
なお、法事ブース７０の利用にも、後述するように、例えば、情報端末Ｔ1を用いて、管理装置１１２の予約部１１８に予約することが必要である。この法事ブース７０は、年忌の際に、法事として用いられることが好ましいものの、墓参に用いることもできる。
【００６８】
献花ブース７４は、献花された生花を管理するものであり、複数の花筒７６が配置されている。花筒７６は、墓参ブース６０および法事ブース７０に献花された生花ｆが、墓参および法事が終了した後に、移動されて活けられる。この移動された生花ｆは、花筒７６に枯れるまで活けられる。
【００６９】
また、上述の如く、管理装置１１２は、設定部１１７、予約部１１８、およびデータベース１１９を有するものである。
管理装置１１２は、例えば、電話、ファックス、郵便またはインターネットなどの通信手段を介して、骨箱１０の管理の依頼者が問い合わせることができるものである。例えば、納骨管理システム１００のホームページが開設されている。このホームページから骨箱の管理の申し込み、骨箱の移動の申し込み、および墓参または法事の予約ができる。また、依頼者の住所変更などもできる。さらには、納骨堂チェーンＧにおける各納骨堂の所在地、事業規模、および新規にできた納骨堂のお知らせなどもホームページにより知ることができる。
【００７０】
設定部１１７は、骨箱１０を所定の納骨堂に管理できること許可する利用権、および依頼者が骨箱の管理場所を移動する場合、骨箱を移動し、他の納骨堂に管理できることを許可する移動権を設定するものである。
【００７１】
設定部１１７において、例えば、ホームページに設けられた管理委託の申し込みフォームには、依頼者の氏名、住所、年齢、電話番号、骨箱の数、骨壷に納められている故人または動物の名前（俗名）、管理を委託する納骨堂の場所、管理年数、および入金方法を記入（入力）する欄が設けられている。このとき、入金方法がクレジットカードである場合には、カード番号なども記入する欄が設けられている。
【００７２】
設定部１１７は、この管理委託の申し込みフォームに入力された事項に基づいて、例えば、入金確認後に、納骨堂の利用権を依頼者に付与するものである。このとき、設定部１１７は、依頼者に、依頼者のユーザＩＤおよびパスワードを付けるとともに、データベース１１９に依頼者のユーザＩＤおよびパスワードを記録させる。
また、依頼者にもユーザＩＤおよびパスワードを知らせ、以降これらのユーザＩＤおよびパスワードを用いて、納骨管理システム１００とやり取りを行うようにさせる。
【００７３】
また、設定部１１７において、ホームページに設けられた移動の申し込みフォームには、移動先の納骨堂を記入する記入欄、および依頼者の住所または居所が変更になる場合には、転居先の住所、電話番号などを記入する記入欄、および管理期間および入金方法も記入する欄が設けられている。
【００７４】
設定部１１７は、この移動の申し込みフォームに入力された事項に基づいて、例えば、入金確認後に、納骨堂の移動権を依頼者に付与するものである。このとき、骨箱１０の骨箱情報が変更されるので、管理装置１１２のデータベース１１９の情報が書き換えられ、更には骨箱の骨箱情報が記録されたＩＣタグの内容が書き換えられるか、またはバーコードが変更される。さらに、移動先の納骨堂の管理部に移動された骨箱情報が追加される。
【００７５】
さらに、ホームページに設けられた管理変更の申し込みフォームには、管理を変更する骨壷の識別番号の記入欄、および追加する骨壷の数、および追加する骨壷に納められている故人の俗名または動物の名前を記入する記入欄、および管理期間および入金方法も記入する欄が設けられている。
これにより、骨箱に収納する骨壷の数が増加または減少する場合にも対応することができる。
【００７６】
この骨箱に収納する骨壷の数が増加または減少する場合にも、設定部１１７は、この管理変更の申し込みフォームに入力された事項に基づいて、例えば、入金確認後に、骨壷を依頼者に戻すか、または依頼者のもとに、骨壷を取りに行く。このとき、骨箱１０の骨箱情報が変更されるので、管理装置１１２のデータベース１１９の情報が書き換えられ、更には骨箱の骨箱情報が記録されたＩＣタグのデータが書き換えられるか、またはバーコードが変更される。さらに、納骨堂の管理部のデータも変更される。
【００７７】
予約部１１８は、骨壷の管理を依頼している依頼者が、納骨堂Ｆ1の法事部１１５で、墓参または法事を行う場合に、その予約を受け付けるとともに、予約状況を管理するものである。
例えば、ホームページに設けられた墓参または法事の予約の申し込みフォームには、希望日時、墓参または法事の仕様、および入金方法を記入する欄が設けられている。この希望日時入金方法がクレジットカードである場合には、有効期限およびカード番号なども記入する欄が設けられている。
この墓参または法事の予約の申し込みフォームに基づいて、予約状況から、希望日時で予約可能であるか判断される。予約できない場合には、そのことを依頼者に通知する。
また、予約状況を示す画面を表示させて、それに基づいて、判断させるようにしてもよい。
予約が確定されると、予約日時、および納骨堂における墓参ブースまたは法事ブースの場所を依頼者に通知する。
【００７８】
データベース１１９は、管理装置１１２により、管理されている全ての項目のデータが記憶されているものである。
依頼者の依頼者の氏名、住所、年齢、電話番号、骨箱の数、骨壷に納められている故人または動物の名前（俗名）、管理を委託する納骨堂の場所、管理年数、および入金方法などが記憶されている。また、依頼者のユーザＩＤと、管理されている骨箱の骨箱情報とが、対応つけて管理されている。
【００７９】
また、データベース１１９には、納骨堂に管理されている骨箱に収納されている骨壷毎に、情報端末に映像として表示される墓の墓情報が記録されていてもよい。これにより、依頼者が、ホームページにアクセスして、ユーザＩＤおよびパスワードを入力して、情報端末に墓を表示することができる。これにより、依頼者は、場所を選ばす墓参ができる。
【００８０】
情報端末Ｔ1〜Ｔmは、骨壷１２の管理を依頼している依頼者が管理装置１１２にアクセスするためのものである。
この情報端末Ｔ1〜Ｔmとしては、例えば、パーソナルコンピュータ（以下、ＰＣという）が例示される。しかし、本実施例において、情報端末は、特に限定されるものではない。例えば、一般電話、携帯電話、またはＰＤＡ（Personal Digital Assistant）などの各種通信機器を用いることができる。
また、納骨管理システム１００が、ホームページを開設している場合には、情報端末としては、ホームページを閲覧できる機能を有するＰＣ、携帯電話またはＰＤＡであることが好ましい。
また、納骨堂Ｆ1〜Ｆnは、骨箱ではなく、骨壷１２の単体で保管できるものであってもよい。
【００８１】
次に、本実施例の納骨管理システム１００の納骨管理方法について説明する。この場合、納骨管理システム１００は、会社または公共団体により運営されることを例にして説明する。
図８は、本実施例の納骨管理システムによる納骨管理方法を説明する模式図である。図９（ａ）は、本実施例の納骨管理システムによる納骨委託方法を工程順に示すフローチャートである。
図８に示すように、依頼者が情報端末Ｔ1を用いて、納骨堂チェーンＧの中から管理する納骨堂を選択することを例にして説明する。
【００８２】
先ず、納骨管理を希望する依頼者が、納骨管理システム１００の管理装置１１２に、電話、ファックス、郵便またはインターネットなどの通信手段を介して情報端末Ｔ1を用いてアクセスする。この場合、通信手段として、インターネットを例にして説明する。
【００８３】
情報端末Ｔ1を用いて、納骨管理システム１００のホームページにアクセスする。依頼者は、このホームページに設けられている申し込みフォームに、依頼者の氏名、住所、年齢、電話番号、骨箱の数、骨壷に納められている故人または動物の名前（俗名）、管理を委託する納骨堂の場所を記入する。さらに、管理年数、および入金方法を入力する。このとき、入金方法がクレジットカードである場合には、有効期限およびカード番号なども記入する。これにより、骨箱の管理の申し込みが終了する（ステップＳ１）。
【００８４】
次に、管理装置１１２の設定部１１７で記入項目に漏れなどを確認する。そして、管理装置１１２により、入金が確認された後、依頼者に対して、ユーザＩＤおよびパスワードを発行する。これにより、登録が完了する（ステップＳ２）。
このステップＳ２において、登録が完了すると、設定部１１７から依頼者に利用権が付与されることになる。さらに、骨箱の納骨堂への運搬については、納骨管理システム１００により手配され、依頼者の搬送希望日時に基づいて行う。
【００８５】
次に、依頼者が指定した日時に、例えば、依頼者のもとに骨箱を運搬するトラックがくる。そして、骨箱が所定の納骨堂に搬送される（ステップＳ３）。
次に、所定の納骨堂で管理される（ステップＳ４）。このとき、納骨堂の管理部１１４には、骨箱１０の骨箱情報と、依頼者のユーザＩＤとが対応付けられて記憶される。また、納骨堂に搬送された骨箱１０には、骨箱情報が記録されたバーコード、またはＩＣタグが取り付けられる。
【００８６】
このようにして、依頼者は、納骨堂に骨箱の管理を委託することができる。
なお、納骨管理システム１００は、新聞、もしくは雑誌、テレビ、またはＷｅｂなどに広告を掲載してもよい。
また、本実施例においては、インターネットを例にして説明したが、これに限定されるものではなく、電話、ファックス、郵便であっても同様に骨箱の管理を委託することができる。
【００８７】
次に、本実施例の納骨管理システム１００による骨箱の移動方法について説明する。
図９（ｂ）は、本実施例の納骨管理システムによる骨箱の移動方法を工程順に示すフローチャートである。
この場合、骨箱１０の管理を図１に示す納骨堂Ｆ1から納骨堂Ｆjに移動する場合を例にして説明する。
【００８８】
先ず、骨箱の管理を委託している依頼者が、情報端末Ｔ1を用いて、例えば、ユーザＩＤおよびパスワードを用いてホームページにアクセスする。そして、移動の申し込みフォームにおいて、移動先の納骨堂Ｆjを選択する。このとき、依頼者の住所または居所が変更になる場合には、転居先の住所、電話番号なども記入する。さらには、管理期間および入金方法も記入する。
これにより、移動の申し込みが完了する（ステップＳ１０）。
【００８９】
次に、入金確認後に、設定部１１７により依頼者に移動権が付与される（ステップＳ１１）。この場合、骨箱１０の保管部１１４が納骨堂Ｆjの保管部１１４jに変更になるので、管理装置１１２のデータベース１１９の情報が書き換えられ、更には骨箱の骨箱情報が記録されたＩＣタグの内容が書き換えられるか、またはバーコードが変更される。
【００９０】
次に、例えば、トラックで移動先の納骨堂Ｆjに搬送される（ステップＳ１２）。
次に、搬送された骨箱は、移動先の納骨堂Ｆjで管理される（ステップＳ１３）。このとき、納骨堂Ｆjの管理部１１５jに移動された骨箱の骨箱情報が追加される。
【００９１】
このように、本実施例においては、管理を委託している骨箱について、必要に応じて、移動権を設定することができる。これにより、依頼者の住所または居所が変更になっても、転居先に近くの納骨堂に骨箱を移動して管理してもらうことができる。
例えば、東京在住の人が帯広に転勤になった場合、骨箱１０の管理を帯広に近い北海道の納骨堂に移動することにより、常に身近なところで骨箱を管理することができる。
【００９２】
また、依頼者の転居以外にも、故人が海が好きだった場合、新規に海の近くに納骨堂ができた場合、その海の近くの納骨堂に移動して管理を委託することもできる。これにより、故人のゆかりの地または好きな土地に納骨することができる。
【００９３】
次に、本実施例の納骨管理システム１００による骨箱の墓参または法事の予約方法について説明する。
図９（ｃ）は、本実施例の納骨管理システムによる墓参または法事の予約方法を工程順に示すフローチャートである。
この場合、依頼者が情報端末Ｔ1を用いて、納骨堂Ｆ1で墓参または法事の予約をすることを例にして説明する。
【００９４】
先ず、骨箱の管理を委託している依頼者が、情報端末Ｔ1を用いて、ユーザＩＤおよびパスワードを用いてホームページにアクセスする。そして、ホームページの墓参または法事の申し込みフォームに必要事項を記入する。
【００９５】
初めに、墓参の申し込みについて説明する。
先ず、墓参の希望日時を入力し、予約部１１８に予約できるか否かを問い合わせる。予約部１１８において、予約可能であるか、判断される。予約できない場合には、別の希望日時を入力するように、例えば、画面に表示される。
この場合、予約可能な日時を示す画面を表示させて、その画面を見て、希望日時を選択させるようにしてもよい。このとき、入金方法も記入させる。これにより、墓参の申し込みが決定される（ステップＳ２０）。
【００９６】
次に、墓参の申し込みが予約部１１８で確認されると、予約日時に基づく墓参が許可される（ステップＳ２１）。
【００９７】
次に、他の申し込み情報などに基づいて、法事施設１１６における墓参ブース６０が決定され、依頼者に、墓参日時とともに、場所が連絡される（ステップＳ２２）。さらに、これらの墓参日時および場所は、依頼者のユーザＩＤとともに、納骨堂Ｆ1の管理部１１５および管理装置１１２のデータベース１１９に記憶される。
【００９８】
なお、指定日時までに、入金が確認されてない場合には、墓参の予約は、キャンセルされる。また、墓参は、例えば、墓参の１週間前までに、キャンセルできるようにすることが好ましい。
このとき、献花の種類および数、ならびに灯明の希望の有無など、墓参に必要な項目について、各種設定可能である。
この場合、依頼者が選択した項目について、金額が計算され、リアルタイムで金額を把握できるようにしてもよい。
【００９９】
さらには、種々の料金毎に、複数の墓参の仕様をホームページに掲載し、この墓参の仕様の中から、墓参の仕様を選択させるようにしてもよい。
さらにまた、墓参の見積もりも算出することができるようにしてもよい。さらには、予算を入力するとそれに応じて、墓参プランを自動的に見積もる機能を有していてもよい。
【０１００】
次に、法事の予約について説明する。
先ず、法事の希望日時を入力し、予約部１１８に予約できるか否かを問い合わせる。予約部１１８において、予約可能であるか、判断される。予約できない場合には、別の希望日時を入力するように、例えば、画面に表示される。
【０１０１】
この場合、予約可能な日時を示す画面を表示させて、その画面を見て、希望日時を選択させるようにしてもよい。このとき、入金方法も記入させる。これにより、法事の申し込みが決定される（ステップＳ２０）。
【０１０２】
次に、法事の申し込みが予約部１１８で確認されると、予約日時に基づく法事が許可される（ステップＳ２１）。
【０１０３】
次に、他の申し込み情報などに基づいて、法事施設１１６における法事ブース７０が決定され、依頼者に、法事日時とともに、場所が連絡される（ステップＳ２２）。さらに、これらの法事日時および場所は、依頼者のユーザＩＤとともに、納骨堂Ｆ1の管理部１１５および管理装置１１２のデータベース１１９に記憶される。
【０１０４】
なお、指定日時までに、入金が確認されてない場合には、法事の予約は、キャンセルされる。さらには、法事は、例えば、法事の１週間前までに、キャンセルできるようにすることが好ましい。
【０１０５】
このとき、献花の種類および数、ならびに灯明の希望の有無など、墓参に必要な項目について、各種設定可能である。
この場合、依頼者が選択した項目について、金額が計算され、リアルタイムで金額を把握できるようにしてもよい。
【０１０６】
さらには、種々の料金毎に、複数の法事の仕様をホームページに掲載し、この法事の仕様の中から、法事の仕様を選択させるようにしてもよい。
さらにまた、法事の見積もりも算出することができるようにしてもよい。さらには、予算を入力するとそれに応じて、法事プランを自動的に見積もる機能を有していてもよい。
【０１０７】
このように、墓参または法事は、予約することにより行われるので、お彼岸などの混雑が予測される時期において、確実に墓参または法事をすることができる。さらに、納骨堂には、墓参ブースが多く設けられているので、混雑を回避することができる。
【０１０８】
なお、本実施例においては、予め骨箱を有する依頼者が管理を委託することを例に説明したが、本発明は、これに限定されるものではない。
例えば、骨箱の購入の際に、骨箱および骨壷への家紋、家名、俗名、および墓誌の記録、ならびに骨箱の管理の委託を含め、「お墓パック」として、サービスを提供するようにしてもよい。この場合、骨箱の管理期間および骨箱の移動権の有無などを選択できるようにすることが好ましい。
【０１０９】
また、墓参については、納骨堂の墓参ブースで行うものとしたが、本発明は、これに限定されるものではない。本実施例の管理装置１１２のデータベースには、骨箱の骨壷毎に、納められている故人または動物の墓の映像が記憶されている。このため、ホームページ上に仮想空間に、納骨システム１００において、墓参ブース（以下、バーチャルブースという）を設けることにより、ホームページにアクセス可能であれば、どこでも墓参が可能になる。
【０１１０】
このようなバーチャルブースを用いることにより、自宅またはホームページにアクセス可能な公民館などで墓参することができる。この場合、例えば、バーチャルブースにおいて、献花、または灯明などのバーチャルブースの装飾を有償にて変更することもできる。また、バーチャルブースで墓参する際に、納骨堂に献花するようにしてもよい。
さらには、命日毎に、バーチャルブースが情報端末に表示されるようにしてもよい。
【０１１１】
なお、本実施例の納骨管理システム１００において管理する骨箱は、図２に示す骨箱１０に限定されるものではなく、種々の骨箱を管理することができる。さらに、本実施例の納骨管理システム１００においては、骨箱ではなく、骨壷単体で管理することもできる。この場合、骨壷に納められている故人の俗名または動物の名前などが骨壷情報として、依頼者のユーザＩＤに関連付けて管理装置１１２のデータベース１１９に記憶されて、管理される。
【０１１２】
以上、本発明である納骨管理システムの実施例の説明を行ったが、本発明は以上の例に限定はされず、本発明の要旨を逸脱しない範囲において、各種の改良および変更を行ってもよいのはもちろんである。
【図面の簡単な説明】
【０１１３】
【図１】本発明の実施例に係る納骨管理システムを示す模式図である。
【図２】（ａ）は、本発明の実施例に係る骨箱を示す斜視図であり、（ｂ）は、図２（ａ）に示す骨箱の内部の状態を示す斜視図である。
【図３】本実施例の骨箱に収納される骨壷を示す斜視図である。
【図４】（ａ）は、本実施例の骨箱に収納される架台を示す斜視図であり、（ｂ）は、図４（ａ）に示す領域Ａの拡大図である。
【図５】本実施例の納骨管理システムの納骨堂に設けられた法事施設を示す模式的斜視図である。
【図６】本実施例の納骨管理システムの納骨堂の保管部の構成を示す模式図である。
【図７】本実施例の納骨管理システムの納骨堂の搬送部を示す模式的平面図である。
【図８】本実施例の納骨管理システムによる納骨管理方法を説明する模式図である。
【図９】（ａ）は、本実施例の納骨管理システムによる納骨委託方法を工程順に示すフローチャートであり、（ｂ）は、本実施例の納骨管理システムによる骨箱の移動方法を工程順に示すフローチャートであり、（ｃ）は、本実施例の納骨管理システムによる墓参または法事の予約方法を工程順に示すフローチャートである。
【符号の説明】
【０１１４】
１０  骨箱
１２  骨壷
１４  筐体
１５  蓋部
１６  架台
１８  基台
２０  フレーム
２２  凹部
２４ａ〜２４ｄ  腕部
２６ａ〜２６ｄ  脚部
２８  取手
２７  貫通孔
３０a、３０ｂ、３０ｃ  記録部
５０  第１の収納箱
５２  第２の収納箱
５４  仕切板
６０  墓参ブース
６８、７２、７４  花筒
７０  法事ブース
７４  献花ブース
８０  コンベアベルト
９０  搬送部
９２〜９８  搬送ベルト対
ｆ  生花
Ｇ  納骨堂チェーン
１００  納骨管理システム
１１２  管理装置
１１３  ネットワーク
１１４〜１１４ｎ  保管部
１１５〜１１５ｎ  管理部
１１６〜１１６ｎ  法事施設
１１７  設定部
１１８  予約部
１１９  データベース
Ｆ1〜Ｆn  納骨堂
Ｔ1〜Ｔm  情報端末
【図１】
2005141301.tif 000003
【図２】
2005141301.tif 000004
【図３】
2005141301.tif 000005
【図４】
2005141301.tif 000006
【図５】
2005141301.tif 000007
【図６】
2005141301.tif 000008
【図７】
2005141301.tif 000009
【図８】
2005141301.tif 000010
【図９】
2005141301.tif 000011